(57)【要約】【課題】これをホースの先端に取り付けた状態で中継水槽の側壁に上から被せて跨らせるだけで中継水槽の給排水が行えることにより、従来必要であった中継水槽の位置でホースの先端を持つ作業者が不要になるので、その分消火作業に携わる作業者の増員が図れる中継水槽の給排水用具を得る。【解決手段】ポンプに接続されるホースの先端に着脱可能に取り付けられるもので、中継水槽２の側壁２ａに上から跨って被さる逆Ｕ字状をした管状本体１と、この管状本体１の外側下端を横向きに折り曲げてなる管口３に装着したホース結合金具５と、管状本体１の内側下端を横向きに折り曲げて形成した給排水口６とを備えてなる。【選択図】        図１
2004194706.tif 000002
【特許請求の範囲】
【請求項１】
ポンプに接続されるホースの先端に着脱可能に取り付けられるもので、中継水槽の側壁に上から跨って被さる逆Ｕ字状をした管状本体と、この管状本体の外側下端を横向きに折り曲げてなる管口に装着したホース結合金具と、前記管状本体の内側下端を横向きに折り曲げて形成した給排水口とを備えてなることを特徴とする中継水槽の給排水用具。
【請求項２】
給排水口の口径を管口の口径よりも小さくしたことを特徴とする請求項１記載の中継水槽の給排水用具。
【請求項３】
管口及び給排水口の各部分にバンドにより取り付ける回転あし座をそれぞれ備えたことを特徴とする請求項１または２記載の中継水槽の給排水用具。
【発明の詳細な説明】
【０００１】
【発明の属する技術分野】
この発明は、例えば火災現場において中継水槽を用いて消火作業を行う場合に、ポンプに接続されるホースの先端に取り付けて中継水槽の給排水を行うのに使用する中継水槽の給排水用具に関するものである。
【０００２】
【発明が解決しようとする課題】
従来、本発明の如き中継水槽の給排水用具がないために、中継水槽を用いて消火作業を行うときには、作業者がホースの先端を持って中継水槽の給排水を行わなければならないので、中継水槽を利用する間，中継水槽の位置でホースの先端を持つ作業者が必要になってその分消火作業に携わる作業者が減るし、その上中継水槽の位置でホースの先端を持つ作業者は長時間にわたり濡れて特に冬場には過酷な作業になると共にホースのはね上げ力に耐え続けるというきつい作業となる。
【０００３】
【課題を解決するための手段】
請求項１の発明に係る中継水槽の給排水用具はかかる点に鑑みてなされたもので、これをホースの先端に取り付けた状態で中継水槽の側壁に上から被せて跨らせるだけで中継水槽の給排水が行えることにより、従来必要であった中継水槽の位置でホースの先端を持つ作業者が不要になるので、その分消火作業に携わる作業者の増員が図れる。
【０００４】
請求項２の発明に係る中継水槽の給排水用具は、給排水口の口径を管口の口径よりも小さくすることにより、給水状態では常時ポンプに負荷が掛かるので、ポンプの過回転などによる故障を回避できる。
【０００５】
請求項３の発明に係る中継水槽の給排水用具は、管口及び給排水口の各部分にバンドにより取り付ける回転あし座をそれぞれ備えることにより、回転あし座が接地すると管状本体が安定した状態で立置するので、中継水槽の側壁への跨り状態が確固たるものとなる。
【０００６】
【発明の実施の形態】
この発明の一実施の形態を図１について説明する。図１は中継水槽の側壁に被せて立置した状態を示す側面図である。
【０００７】
図において、１は中継水槽２の側壁２ａに上から跨って被さる逆Ｕ字状をした管状本体、３は管状本体１の外側下端をエルボ管４により横向きに折り曲げて構成した管口、５は管口３に装着したホース結合金具（差込式メス）、６は管状本体１の内側下端をエルボ管７により横向きに折り曲げて構成した給排水口、８は管口３及び給排水口６の各部分にバンド９によりそれぞれ取り付けた回転あし座、１０は提げ手である。なお、給排水口６の口径は、図示するように管口３の口径（ホース結合金具５の口径）よりも小さく設定してある。
【０００８】
本給排水用具を，図示するように中継水槽２の側壁２ａに上から被せて跨らせて回転あし座８により立置させる。この状態では、図示省略するがそのホース結合金具（差込式メス）５にポンプに接続されるホースがその先端のホース結合金具（差込式オス）によりワンタッチ結合されている。よって、ホースからの送水は、管状本体１を通って給排水口６から中継水槽２内に給水されるが、Ｕ字状の管状本体１内を通るときに圧力（圧力水による）が分散されて管状本体１が動揺せず、安定した状態で給水を行うことができるので、管状本体１は動くことなく図１の状態のまま給水される。
【０００９】
かかる中継水槽２への給水とは別個に、中継水槽２の他所に本給排水用具をもう一つ同様にして立置させて排水用とすると、この排水用の本給排水用具によりその先の放水が可能になるので、この中継水槽２が水源のない，水源が遠いとかの水源の確保しにくい火災現場において水源の働きをする。
【００１０】
中継水槽２内の水を捨てるときには、前記した排水用の本給排水用具をそのまま使えば水抜きは勿論可能であるが、ホース結合金具５からホ−スを外して図示のように管口３を開放状態にすれば、管状本体１のサイフオン管現象により中継水槽２内の水が管口３から自然に放水されるので、容易に水抜きができる。
【００１１】
本給排水用具は提げ手１０により提げて中継水槽２の側壁２ａへの設置，あるいは持ち運びが容易に行えるが、本給排水用具の各部品をステンレスやアルミニウムからなるものとしておくと、本給排水用具が全体的に軽量になって中継水槽２の側壁２ａへの設置，あるいは持ち運びがさらに容易になる。
【００１２】
上記実施の形態のように給排水口６の口径を管口３の口径（ホース結合金具５の口径）よりも小さく設定することにより、給水状態では常時ポンプに負荷が掛かるので、ポンプの過回転などによる故障を回避できる。
【００１３】
また、上記実施の形態のように管口３及び給排水口６の各部分にバンド９により回転あし座８をそれぞれ取り付けることにより、この回転あし座８が接地すると管状本体１が安定した状態で立置するので、中継水槽２の側壁２ａへの跨り状態が確固たるものとなる。
【００１４】
以上の説明では回転あし座８が中継水槽２の底面に接地して本給排水用具が立置するとしているが、中継水槽２が深くて回転あし座８が底面に届かなくても、管状本体１が中継水槽の側壁に乗っ掛かって止まるので、その使用時には何の支障もなく上記実施の形態と同様の作用・効果を奏する。また、中継水槽２でなくても、防火水槽や消火水槽の如きものであっても、それらの側壁の形状によっては中継水槽２と同様にして使用することも可能であることは言うまでもない。
【００１５】
【発明の効果】
以上のように、請求項１の発明によればこれをホースの先端に取り付けた状態で中継水槽の側壁に上から被せて跨らせるだけで中継水槽の給排水が行えるので、従来必要であった中継水槽の位置でホースの先端を持つ作業者が不要になり、その分消火作業に携わる作業者の増員が図れるという効果が得られる。
【００１６】
請求項２の発明によれば給排水口の口径を管口の口径よりも小さく設定するので、給水状態では常時ポンプに負荷が掛かり、ポンプの過回転などによる故障を回避できるという効果が得られる。
【００１７】
請求項３の発明によれば管口及び給排水口の各部分にバンドにより取り付ける回転あし座をそれぞれ備えるので、回転あし座が接地すると管状本体が安定した状態で立置し、中継水槽の側壁への跨り状態が確固たるものになるという効果が得られる。
【図面の簡単な説明】
【図１】この発明の一実施の形態を示すもので，中継水槽の側壁に被せて立置した状態を示す側面図である。
【符号の説明】
１    管状本体
２    中継水槽
２ａ  側壁
３    管口
５    ホース結合金具
６    給排水口
８    回転あし座
９    バンド
１０  提げ手
【図１】
2004194706.tif 000003